(57)【要約】【課題】押しピンや画鋲を刺すときには刺し易く、押しピンや画鋲を刺した状態では抜けにくく、かつ押しピンや画鋲を抜くときには指や爪に負担をかけず容易に抜くことができる掲示板を提供することを目的とする。【解決手段】表層部はポリ塩化ビニルシートであり、前記表層部の表面から３．０mm〜５．０mmの位置に厚さ１．５mm〜３．０mmの弾性体を配置することを特徴とする。【選択図】図１
0003169335.tif 000002
【実用新案登録請求の範囲】
【請求項１】
表層部はポリ塩化ビニルシートであり、前記表層部の表面からの距離が３．０mm〜５．０mmの位置に厚さ１．５mm〜３．０mmの弾性体を配置することを特徴とする掲示板。
【請求項２】
前記表層部は、不織布シートであることを特徴とする請求項１に記載の掲示板。
【考案の詳細な説明】
【技術分野】
【０００１】
本発明は、弾性体を含む掲示板に関する。
【背景技術】
【０００２】
従来、マンションのエントランス、集会場や階段の踊り場などに設置されている掲示板には、堅い合板に不織布やビニルクロスを貼ったものが多く見受けられる。このような掲示板に押しピンや画鋲でポスターや掲示物を貼る場合、堅い合板に針を刺すことになるため、相当の力を必要とする。また、そのような掲示板から押しピンや画鋲を抜くときには、素手で抜こうとすれば指や爪に大きな負担がかかり、根元まで押し込まれているような場合には専用の器具がなければ抜けないことも多かった。特に、年数が経過したマンションでは、居住者の高齢化に伴い、ポスターや掲示物を貼ったりはがしたりする人も高齢化しているため、掲示板の管理は大きな負担となっていた。
【０００３】
このような問題を解決する技術として、熱融着繊維を含む不織布で、その少なくとも一方の表層部分にフィルムを積層する基板ボードを使用した掲示板が開示されている（特許文献１参照）。かかる掲示板は、軽量で表面が平滑であるため、ポスター等を押しピンや画鋲または糊で貼り付け易い。
【先行技術文献】
【特許文献】
【０００４】
【特許文献１】特開２００４−２９１５４９号公報
【考案の概要】
【考案が解決しようとする課題】
【０００５】
しかしながら、上記特許文献１に記載された掲示板は、不織布を積層したボード基材を用いることにより、押しピンや画鋲の針を刺す部分が均一の硬さとなるため、硬すぎれば刺し始めからある程度の力が必要となる。一方、不織布を圧着する力が弱く柔らかすぎれば、押しピンや画鋲が抜け易くなるという問題があった。
【０００６】
本発明は、上記に鑑みてなされたものであって、押しピンや画鋲を刺すときには刺し易く、押しピンや画鋲を刺した状態では抜けにくく、かつ押しピンや画鋲を抜くときには指や爪に負担をかけず容易に抜くことができる掲示板を提供することを目的とする。
【課題を解決するための手段】
【０００７】
上述した課題を解決し、目的を達成するために、本発明は、表層部はポリ塩化ビニルシートであり、前記表層部の表面からの距離が３．０mm〜５．０mmの位置に厚さ１．５mm〜３．０mmの弾性体を配置することを特徴とする。
【考案の効果】
【０００８】
本発明によれば、表層部の表面からの距離が３．０mm〜５．０mmの位置に厚さ１．５mm〜３．０mmの弾性体を配置することことにより、弾性体を力の入れ易い位置に配置しているため、押しピンや画鋲を刺すときには刺し易く、押しピンや画鋲を刺した状態では抜けにくく、かつ押しピンや画鋲を抜くときには指や爪に負担をかけず容易に抜くことができるという効果を奏する。
【図面の簡単な説明】
【０００９】
【図１】実施例１にかかる掲示板１０の断面図の一例である。
【図２】実施例２にかかる掲示板２０の断面図の一例である。
【考案を実施するための形態】
【００１０】
以下、添付図面を参照して本発明にかかる掲示板の実施の形態を詳細に説明する。なお、以下に示す実施例は本発明の実施の形態の一例であり、本発明はこれらの実施例に限定されるものではない。
【実施例１】
【００１１】
図１は、実施例１にかかる掲示板１０の断面図の一例である。図１に示すように、掲示板１０は、表層からポリ塩化ビニルシート１１、ポリエチレンボード１２、弾性体１３、ナイロン１４、基板１５を積層したものである。各部材を接着させるためには、接着剤を使用する。一例として、ポリ塩化ビニルシート１１とポリエチレンボード１２の間には、アクリル樹脂系接着剤１７を塗布して接着する。ポリエチレンボード１２と弾性体１３の間には、シリコン系接着剤１８を塗布して接着する。弾性体１３とナイロン１４の間には、シリコン系接着剤１８を塗布して接着する。ナイロン１４と基板１５の間は、シリコン系接着剤１８を塗布して接着する。弾性体１３は、より具体的には合成ゴムや天然ゴムであるが、それらに限らず所定の弾力性を有する素材であればどのような素材を用いてもよい。
【００１２】
本実施例でのポリ塩化ビニルシート１１の厚さは１mm、ポリエチレンボード１２の厚さは３mm、弾性体１３の厚さは２mm、ナイロン１４の厚さは３mm、基板１５の厚さは９mmであり、アクリル樹脂系接着剤１７とシリコン系接着剤１８の厚みを加えたポリ塩化ビニルシート１１から基板１５までの全体の厚さは、２０mm前後である。表層部の表面から基板１５までの距離は、９mm〜１１mmである。
【００１３】
弾性体１３の厚さは、１．５mm〜３．０mmであり、かかる場合に後述する効果を奏する。なお、最適な弾性体１３の厚さは、２．０mm前後である。弾性体１３は、表層部の表面からの距離が４〜５mmの位置に配置する。ポリ塩化ビニルシート１１、ポリエチレンボード１２およびナイロン１４は、同様の針通りや耐久性を有するものであれば、他の部材と置き換えてもよい。また、表層部の表面から基板１５までの距離は、使用する押しピンや画鋲の針の長さに応じて変えてもよい。
【００１４】
このように、最初に針を刺す表層に近い部分に、ポリ塩化ビニルシート１１、ポリエチレンボード１２のような弾性体１３に比べて針通りがよい部材を配置し、表層部の表面から４mm〜５mmの位置に弾性体１３を配置しているため、始めから力を込める必要がなく、徐々に力を入れれば、容易に針が刺し込むことができる。従って、非力な人でも容易に針を刺すことができる。一方、針を抜く際には、主に針を保持しているものは弾性体１３の弾性力であるため、１．５mm〜３．０mmの弾性体から針を抜く程度の力があればよく、容易に針を抜くことができる。
【００１５】
また、掲示板の針を刺す部分に異なる素材が積層されていることにより、均一の素材からなる掲示板よりも素材ごとの摩擦力が異なるため、針の位置がずれにくい。さらに、掲示板の内部に弾性体を使用しているため、弾性体の弾性力によって針がずれることが少なく、針の位置を所定の位置に保持することができる。上述した構成を採ることによって掲示板から針が抜け落ちることを防止することができる。
【００１６】
また、表層部にポリ塩化ビニルシート１１を使用し、ポリエチレンボード１２との接着にアクリル樹脂系接着剤１７を使用していることにより、針を抜いた後にアクリル樹脂系接着剤１７が穴を塞ぐように広がり、ポリ塩化ビニルシート１１を元の位置に押し戻すため、針を抜いた跡が目立ちにくい。
【００１７】
上述した積層された部材は、端部を額縁１６で固定する。額縁１６は、アルミニウムや木材等の素材で作成した、積層された部材の端部を保護するための枠である。基板１５には、耐久性を考慮して合板を用いるが、他に強度を高めたダンボールや発泡スチロール（気泡を含ませたポリスチレン）等、設置場所や用途に合わせて他の部材に変更してもよい。掲示板１０自体は、釘や接着剤等を用いて壁面に固定する。また、掲示板１０自体を、自立する木製や金属製のキャスター等に固定してもよい。
【実施例２】
【００１８】
図２は、実施例２にかかる掲示板２０の断面図の一例である。実施例１と同一の符号を付した部材は、実施例１と同様であるため、上述した説明を参照し、異なる点を中心に説明する。掲示板２０は、表層から不織布シート２１、弾性体１３、ナイロン１４、ポリプロピレンボード２２、基板１５を積層したものである。各部材を接着させるために接着剤を使用する。一例としては、不織布シート２１と弾性体１３の間には、アクリル樹脂系接着剤１７を塗布して接着する。弾性体１３とナイロン１４の間には、シリコン系接着剤１８を塗布して接着する。ナイロン１４とポリプロピレンボード２２の間には、シリコン系接着剤１８を塗布して接着する。ポリプロピレンボード２２と基板１５の間は、シリコン系接着剤１８を塗布して接着する。
【００１９】
本実施例での不織布シート２１の厚さは３mm、弾性体１３の厚さは２mm、ナイロン１４の厚さは３mm、ポリプロピレンボード２２の厚さは３mm、基板１５の厚さは９mmであり、アクリル樹脂系接着剤１７とシリコン系接着剤１８の厚みを加えたポリ塩化ビニルシート１１の表面から基板１５までの全体の厚さは、２２mm前後となる。表層部の表面から基板１５までの距離は、１１mm〜１３mmである。弾性体１３は、表層部の表面からの距離が３〜４mmの位置に配置する。不織布シート２１、ナイロン１４およびポリプロピレンボード２２は、同様の針通りや耐久性を有するものであれば、他の部材と置き換えてもよい。
【００２０】
掲示板２０は、このような構成を採ることにより、上述した実施例１の効果に加え、表層部に不織布シート２１を用いているため、針を抜いた跡がより目立ちにくいという効果を奏する。
【００２１】
なお、本発明は、上述した実施例そのままに限定されるものではなく、実施段階ではその要旨を逸脱しない範囲で部材を変形して具体化することができる。また、上述した実施例に開示されている複数の部材は適宜組み合わせてもよく、実施例に示される部材からいくつかの部材を削除してもよい。
【符号の説明】
【００２２】
１０  ２０  掲示板
１１  ポリ塩化ビニルシート
１２  ポリエチレンボード
１３  弾性体
１４  ナイロン
１５  基板
１６  額縁
１７  アクリル樹脂系接着剤
１８  シリコン系接着剤
２１  不織布シート
２２  ポリプロピレンボード
【図１】
0003169335.tif 000003
【図２】
0003169335.tif 000004